(57)【特許請求の範囲】
【請求項１】
少なくとも２片の紙葉を連接してなる絵本の少なくとも１片の紙葉の内面に前記絵本の題材とリンクした家屋及び／又は地下模すブリスターを設けてなり、
前記ブリスターは、内部に凹部を有し、
前記ブリスターを設けた１片の紙葉の内面に前記絵本の題材とリンクした家屋や地下の断面を模した絵柄を設け、及び／又は前記ブリスターの内部に設けた凹部の底部に前記絵柄の家屋の部屋及び／又は地下の空間を模した紙片を嵌め込み、前記ブリスターの凹凸とにより、家屋や地下の断面の形状を模し、
前記ブリスターの内部に設けた凹部の少なくとも１箇所に人形を配し
前記ブリスターは、外周部に内部より一段高い厚みを有し、内部に蓋をするように冊子体を配設可能としたことを
特徴とする絵本。
【請求項２】
前記ブリスターの内部に設けた凹部の底部と前記絵本の内面の１片に接する部分の少なくとも１箇所と絵本を閉じた時に重なる前記絵本のもう１方の１片に、窓や扉を模した貫通孔部及び／又は透視可能な透明素材部を有することを特徴とする請求項１記載の絵本。
【発明の詳細な説明】
【０００１】
【発明の属する技術分野】
本発明は人形遊びの出来るような絵本に関し、特にブリスターを利用した安価でかつ容易に製造可能な人形遊びの出来るような絵本に関する。
【０００２】
【従来の技術】
絵本とその絵本の物語で出るキャラクターの人形を一緒に綴じた絵本としては数枚の厚紙からなる絵本の中心部をくり貫いて、ここに人形を配したものなどがある。しかしながらこのようなキャラクターの人形を実際に遊ぶとなると、絵本の各頁に示された平面的な絵の上でしか動かせず、せっかくの立体的な人形の特徴を十分に生かしたものとはならなかった。
【０００３】
一方、人形ごとある家屋の内部を示して構築されたドールハウスと呼ばれるもの及びこの類似品があるが、いずれも絵本と比較すると高価であり、販売するにも絵本のような流通形態を取れないものであった。
【０００４】
【発明が解決しようとする課題】
本発明はこのような問題点を解決するためになされたものであり、その課題とするところは、人形遊びの出来るような絵本に関し、特にブリスターを利用した安価でかつ容易に製造可能な人形遊びの出来るような絵本を提供することにある。
【０００５】
【課題を解決するための手段】
本発明は、この課題を解決するため、すなわち、請求項１記載の発明は、少なくとも２片の紙葉を連接してなる絵本の少なくとも１片の紙葉の内面に前記絵本の題材とリンクした家屋及び／又は地下模すブリスターを設けてなり、前記ブリスターは、内部に凹部を有し、前記ブリスターを設けた１片の紙葉の内面に前記絵本の題材とリンクした家屋や地下の断面を模した絵柄を設け、及び／又は前記ブリスターの内部に設けた凹部の底部に前記絵柄の家屋の部屋及び／又は地下の空間を模した紙片を嵌め込み、前記ブリスターの凹凸とにより、家屋や地下の断面の形状を模し、前記ブリスターの内部に設けた凹部の少なくとも１箇所に人形を配し前記ブリスターは、外周部に内部より一段高い厚みを有し、内部に蓋をするように冊子体を配設可能としたことを特徴とする絵本である。
【０００６】
本発明はこの手段により、絵本の題材とリンクした家屋や地下の絵柄、紙片の嵌め込みとブリスターの凹凸とにより、家屋や地下の断面を模すことが可能となり、この空間により人形等の物により、立体的な人形遊びをすることが可能となる。
【０００８】
本発明はこの手段により、絵本と人形をセットで提供することを可能にし、より立体的な人形遊びが可能となる。
【００１０】
本発明はこの手段により、ブリスターに冊子体を嵌め込むことが可能となる。また、ブリスター内部に人形など他の物のを収納した状態で冊子体をもって蓋とすることが可能となる。
【００１１】
また請求項２記載の発明は、前記ブリスターの内部に設けた凹部の底部と前記絵本の内面の１片に接する部分の少なくとも１箇所と絵本を閉じた時に重なる前記絵本のもう１方の１片に、窓や扉を模した貫通孔部及び／又は透視可能な透明素材部を有することを特徴とする請求項１記載の絵本である。
【００１２】
本発明はこの手段により、絵本を閉じた状態であっても、絵本の内部を見ることが可能となり、より立体的な人形遊びが可能となる。
【００１３】
【発明の実施の形態】
以下、本発明を図面に基づき詳細に説明する。
図１に本発明の絵本の一実施例の展開した構造を示す。絵本１はその裏表紙の内側にブリスター２を接着してなり、裏表紙の内側には家屋の断面を模した絵柄が設けられ、ブリスター内部の凹部に嵌め込んだ紙片３には家屋の部屋を模した絵柄が設けられている。また、表表紙の上方には部屋の窓を模した貫通孔及び／又は透明素材部４が設けられている。また、人形５は前記ブリスター内部の凹部に収納可能なものであり、冊子体６はブリスター凹部の蓋として収納可能なものである。
【００１４】
本発明における絵本としては、少なくとも２片の紙葉を連接してなるものである。特には表紙、背表紙、裏表紙を連接してなるものが好適であるが、特にこれに限定するものではなく、３面屏風であってもよいし、経本折りしたものであってもよい。
【００１５】
本発明におけるブリスターとしては、裏表紙の内面に設けられるものが好適であるが、特にこれに限定されるものではなく、表表紙の内面に設けたものであっても良いし、両方に設けても良い。
【００１６】
本発明における凹部に嵌め込んだ紙片としては、凹部の底部に枠を有し、ここに嵌め込めるように形づけたものをが用いられ、ブリスターを設けた絵本の内面の一片の印刷に合わせた絵柄を設けたものが好適であるが、特にこれに限定されるものではなく、凹部の底部に接着したものであっても良い。
【００１７】
本発明における貫通孔部及び／又は透明素材部としては、裏表紙の内面にブリスターを設けたものであれば、その凹部に対する表表紙の位置に設けるのが好ましいが、特にこれに限定されるものではない。また、貫通孔か貫通孔を覆うように透明フィルムをかぶせたものが好適であるが、特にこれに限定されるものではなく、ガラス等透明材料を嵌め込んだものであっても良い。
【００１８】
本発明における人形としては前記ブリスターの凹部に収納可能なサイズであって、ブリスター凹部にて立体的な人形遊びが出来るサイズであるものが好適であるが、特にこれに限定されるものではなく、絵本に別途添付するものであっても良い。
【００１９】
本発明における冊子体としては、ブリスターの外周部にあわせて内部を覆うようにして蓋となるように設けたものであることが好適であるが、特にこれに限定するものではなく、絵本の内部に綴じ込んだものであっても良い。
【００２０】
【発明の効果】
以上に示したように本発明は請求項１記載の発明により、絵本の題材とリンクした家屋や地下の絵柄、紙片の嵌め込みとブリスターの凹凸とにより、家屋や地下の断面を模すことが可能となり、この空間により人形等の物により、立体的な人形遊びをすることが可能となるという作用効果を奏する。
【００２１】
また、絵本と人形をセットで提供することを可能にし、より立体的な人形遊びが可能となるという作用効果を奏する。
【００２２】
また、ブリスターに冊子体を嵌め込むことが可能となる。また、ブリスター内部に人形など他の物のを収納した状態で冊子体をもって蓋とすることが可能となるという作用効果を奏する。
【００２３】
また、請求項２記載の発明により、絵本を閉じた状態であっても、絵本の内部を見ることが可能となり、より立体的な人形遊びが可能となるという作用効果を奏する。
【図面の簡単な説明】
【図１】本発明の絵本の一実施例の説明図である。
【符号の説明】
１…絵本
２…ブリスター
３…凹部に嵌め込んだ紙片
４…貫通孔部及び／又は透明素材部
５…人形
６…冊子体
【図１】
0003899789.tif 000002